(57)【要約】【課題】ブレスレット１００の留め具の構成を工夫して、装着時に煩わしさを生じさせることなく、ブレスレット１００の容易な取り外しを実現する。【解決手段】ブレスレット１００は、腕への装着時にブレスレット１００の内側に位置する第１部位１３０と、腕への装着時にブレスレット１００の外側に位置する第２部位１４０と、第１部位１３０と第２部位１４０とを相互に連結するヒンジ部１６０とを備える。第２部位１４０の形状は、ブレスレット１００の長手方向に沿った断面が略Ｌ字状である。第２部位１４０の広面には、ベルト部１１０と留め具本体１２０との識別を兼ねる装飾部１７０が設けられていて、第２部位１４０の狭面には、腕からブレスレット１００を取り外すときに、爪を掛けるための溝部１５０が形成されている。溝部１５０によって、第２部位１４０の固定端側（ヒンジ部１６０側）と自由端側（溝部１５０側）とを識別する。【選択図】  図１
2009112367.tif 000002
【特許請求の範囲】
【請求項１】
環状装着物に設けられているヒンジ機構の留め具構造において、
装着時に外側となる部位は、前記ヒンジ機構の固定端側と自由端側とを識別する識別部を有する留め具構造。
【請求項２】
前記識別部は、前記固定端側又は前記自由端側を、他の部分の質感と異ならせてなる請求項１記載の留め具構造。
【請求項３】
前記識別部は、前記固定端側又は前記自由端側を着色してなる、請求項１記載の留め具構造。
【請求項４】
前記識別部は、前記固定端側又は前記自由端側に設けられた、凹凸部、段差部、溝部、突部のいずれかである、請求項１記載の留め具構造。
【請求項５】
請求項１記載の留め具構造を有する環状装着物。
【発明の詳細な説明】
【技術分野】
【０００１】
本発明は、装飾品及びその留め具構造に関し、時計、ネックレス、ブレスレット、アンクルなどの装飾品及びその留め具構造に関する。
【背景技術】
【０００２】
特許文献１には、手首からの取り外しを容易としたブレスレットが開示されている。このブレスレットは、 ブレスレット本体の一端部に一方の連結体を、他端部に他方の連結体をそれぞれ回動自在に連結し、一方の連結体に外側係止突起部と内側係止突起部を突設し、他方の連結体に挿入用開口部を形成して、この挿入用開口部の辺部に設けた切欠き部に係止溝部を形成し、且つ、ブレスレット本体に、挿入穴部と係止穴部を有する本体側係止部を形成し、一方の連結体を挿入用開口部に挿入して内側係止突起部を挿入穴部から係止穴部に挿入係止し、且つ、外側係止突起部を係止溝部に係止するようにしたものである。
【０００３】
【特許文献１】特開２００７−４４１８１
【発明の開示】
【発明が解決しようとする課題】
【０００４】
しかし、特許文献１に開示されているブレスレットの留め具は、ヒンジ機構を有しているが、この場合、典型的には、ブレスレットの各パーツが同形同大のようにほぼ共通であったり、ブレスレットが対象形であったりする場合に、留め具の取り外し側を即座に識別することが困難である。つまり、特許文献１に開示されているブレスレットの留め具は、ブレスレットを取り外す際に、ヒンジ機構の固定端側と自由端側を即時に識別することが困難である。
【０００５】
この結果、ブレスレットの装着者は、ブレスレットを取り外す際に、２回の１回の割合で、留め具の取り外し側と逆側である固定端を、自由端と間違える場合がある。この種の間違えを回避するためには、ブレスレットの装着時に、例えば、ヒンジ機構の固定端側を必ず小指側とするなどの配慮をすれば済む問題ではあるが、装着時の煩わしさは否めない。この点は、ブレスレットの各パーツが同形同大のようにほぼ共通等の場合でなくても生じうるものである。
【０００６】
そこで、本発明は、ブレスレットを含む装着物の留め具の構成を工夫して、装着時に煩わしさを生じさせることなく、装着物の容易な取り外しを実現することを課題とする。
【課題を解決するための手段】
【０００７】
上記課題を解決するために、本発明は、
環状装着物に設けられているヒンジ機構の留め具構造において、
装着時に外側となる部位は、前記ヒンジ機構の固定端側と自由端側とを識別する識別部を有するものとする。
【０００８】
一例としては、前記識別部は、前記固定端側又は前記自由端側を、他の部分の質感と異ならせるという視覚的又は触覚的な作用に働きかけるものとすることができる。
【０００９】
具体的には、前記識別部は、前記固定端側又は前記自由端側に色素を塗布したり、前記固定端側又は前記自由端側を酸化させたりして、着色することによって実現することができる。
【００１０】
あるいは、前記識別部は、前記固定端側又は前記自由端側に、凹凸部、段差部、溝部、突部のいずれかを設けられることによって実現することができる。
【００１１】
このように、本発明の一例では、化学的手法又は物理的手法によって、識別部を構成するようにしている。
【００１２】
また、本発明の環状装着物は、上記の留め具構造を有している。このような環状装着物であれば、装着時に煩わしさを生じさせることなく、環状装着物の容易な取り外しを実現することが可能となる。
【発明の実施の形態】
【００１３】
以下、本発明の実施形態について、図面を参照して説明する。なお、本実施形態では、ブレスレットを例に説明するが、アンクル、時計、ネックレスなどの種々の環状装着物についても適用できる。
【００１４】
図１は、本発明の実施形態の環状装着物であるところのブレスレット１００の平面図及び側面図である。図１（ａ）及び図１（ｂ）にはブレスレット１００の装着時に外側となる面の平面図を示し、図１（ｃ）にはブレスレット１００の側面図を示している。なお、図１（ａ）には、ブレスレット１００の留め具１２０を開いた状態、図１（ｂ）には、ブレスレット１００の留め具１２０を閉じた状態を示している。
【００１５】
図１に示すように、ブレスレット１００は、例えば図示しないゲルマニウムなどが取り付けられているベルト部１１０と、ベルト部１１０の一端に位置する留め具本体１２０と、ベルト部１１０の他端に位置していて留め具本体１２０とともにブレスレット１００を環状にする留め棒１２５とを示している。
【００１６】
図２は、図１に示す留め具本体１０付近の拡大図である。図２（ａ）〜図２（ｃ）は、それぞれ、図１（ａ）〜図１（ｃ）に示す留め具本体１２０に対応している。
【００１７】
留め具本体１２０は、腕への装着時にブレスレット１００の内側に位置する第１部位１３０と、腕への装着時にブレスレット１００の外側に位置する第２部位１４０と、第１部位１３０と第２部位１４０とを相互に連結するヒンジ部１６０とに大別される。第２部位１４０の形状は、ブレスレット１００の長手方向に沿った断面が略Ｌ字状である。第２部位１４０の広面には、ベルト部１１０と留め具本体１２０との識別を兼ねる装飾部１７０が設けられていて、第２部位１４０の狭面には、腕からブレスレット１００を取り外すときに、爪を掛けるための溝部１５０が形成されている。
【００１８】
図３は、図１に示すブレスレット１００の腕へ取り付けた状態を示す図である。図４は、図３に示すブレスレット１００を腕から取り外す際に留め具を自由端から正しく回動させた例を示す図である。図５は、図１に示すブレスレット１００を腕から取り外す際に留め具を固定端から誤って回動させようとした例を示す図である。
【００１９】
図２〜図５を参照して、ブレスレット１００の着脱方法について説明する。
【００２０】
図２（ａ）に示すように、ブレスレット１００を腕に装着する前には、留め具本体１２０の第１部位１３０と第２部位１４０とを相互に開いた状態とする。
【００２１】
つづいて、ブレスレット１００を腕に巻きつけてから、留め具本体１２０の第２部位１４０を、留め棒１２５とベルト部１１０とによって形成される空間に通す。そして、第１部位１３０に対して第２部位１４０を回動させ、第１部位１３０と第２部位１４０とによって、留め棒１２５を挟み込む。
【００２２】
図２（ｂ）及び図３に示すように、上記回動を更に行うことによって、第１部位１３０と第２部位１４０とを閉じきれば、これらが連結される。
【００２３】
一方、ブレスレット１００を腕から取り外す場合には、装飾部１７０を見る又は触れるなどすることで、留め具本体１２０の位置を特定する。そして、留め具本体１２０を、その両側のベルト部１１０の長手方向に沿って、例えば、親指と人差し指とで挟み込む。この際、第２部位１４０の一端には、溝部１５０が形成されているため、容易に、第２部位１４０の固定端側（ヒンジ部１６０側）と自由端側（溝部１５０側）とを識別することが可能となる。
【００２４】
図４に矢印を付記しているように、溝部１５０に爪を掛けて、留め具本体１２０の第１部位１３０と第２部位１４０とを相互に開けば、腕からのブレスレット１００の取り外しが完了する。
【００２５】
このように、本実施形態の場合には、第２部位１４０の一端には、溝部１５０が形成されているため、図５に矢印を付記しているように、図１に示すブレスレット１００を腕から取り外す際に、留め具本体１２０を固定端側から誤って回動させようすることもなくなる。
【実施例】
【００２６】
図６は、本発明の実施例の留め具本体１２０の拡大図である。
【００２７】
図６（ａ）には、三角形状の装飾部１７２を示している。ここでは、装飾部１７２は、底辺が第２部位１４０の自由端側となるようにしているが、この逆であってもよい。装飾部１７２の底辺を、第２部位１４０の自由端側又は固定端側に位置させることで、第２部位１４０の自由端側と固定端側とを識別することが可能となる。装飾部１７２は、そこを着色処理してもよいし、その周辺部分と段差を設けるなどして形成すればよい。
【００２８】
図６（ｂ）には、複数の線状の装飾部１７４を示している。線の間隔及び深さは、例えば１〜２ｍｍ程度とすればよい。ここでは、装飾部１７４は、第２部位１４０の自由端側に設けているが、この逆であってもよい。装飾部１７４の位置を、第２部位１４０の自由端側又は固定端側に位置させることで、第２部位１４０の自由端側と固定端側とを識別することが可能となる。装飾部１７４は、そこを着色処理してもよいし、その周辺部分と段差を設けるなどして形成すればよい。なお、複数の線に代えて、凹凸を設けてもよい。
【００２９】
図６（ｃ）には、梨地処理した装飾部１７６を示している。ここでは、装飾部１７６は、第２部位１４０の自由端側に設けているが、この逆であってもよい。装飾部１７６の位置を、第２部位１４０の自由端側又は固定端側に位置させることで、第２部位１４０の自由端側と固定端側とを識別することが可能となる。装飾部１７６は、そこを研磨処理するなどして形成すればよい。
【００３０】
図６（ｄ）には、ドーム状の突起からなる装飾部１７８を示している。装飾部１７８の幅は、例えば、５ｍｍ程度、高さは３ｍｍ程度としている。こうすると、装飾部１７８が邪魔になる、或いは、外部との接触による破損等も防止できる。ここでは、装飾部１７８は、第２部位１４０の自由端側に設けているが、この逆であってもよい。装飾部１７８の位置を、第２部位１４０の自由端側又は固定端側に位置させることで、第２部位１４０の自由端側と固定端側とを識別することが可能となる。装飾部１７８は、そこに接着などにより、上記突起を接続するなどして形成すればよい。
【００３１】
以上、図６（ａ）〜図６（ｄ）に示す各装飾部１７２〜１７６にも、溝部１５０を選択的に設けてもよい。もっとも、各装飾部１７０〜１７６の溝部１５０は、これに代えて、例えば突部とするなど、腕からブレスレット１００を容易の取り外せるような形状・構造としてもよい。また、溝部１５０及び／又はその周辺、すなわち、第２部位１４０の狭面に着色処理を施してもよい。こうすると、第２部位１４０の広面に着色処理を施した場合に比して、使用による着色落ちが生じにくいという利点がある。
【００３２】
また、本実施例では、第２部位１４０の狭面を平面的にした例を示したが、この狭面を波状にしてもよい。この場合にも、第２部位１４０の固定端側と自由端側とを識別することが可能となる。
【００３３】
本発明の実施形態及び実施例において種々のブレスレット１００を説明したが本発明はこれらの例示に限定されるものではなく、本発明の目的である、留め具の固定端側と自由端側とを識別するという目的が達せられるものであればよい。したがって、本発明の場合、装飾部１７０に代表される識別部は、必ずしも、留め具本体１２０に形成されていなくても、例えば、ベルト部１１０の端部であって留め棒１２５近傍のように自由端付近に設けられる場合、或いは、反対に、ベルト部１１０の留め棒１２５が形成されていない側の端部に設けられる場合も、本発明の範囲内に含まれる。
【図面の簡単な説明】
【００３４】
【図１】本発明の実施形態の環状装着物であるところのブレスレット１００の平面図及び側面図である。
【図２】図１に示す留め具本体１０付近の拡大図である。
【図３】図１に示すブレスレット１００の腕へ取り付けた状態を示す図である。
【図４】図３に示すブレスレット１００を腕から取り外す際に留め具を自由端から正しく回動させた例を示す図である。
【図５】図１に示すブレスレット１００を腕から取り外す際に留め具を固定端から誤って回動させようとした例を示す図である。
【図６】本発明の実施例の留め具本体１２０の拡大図である。
【符号の説明】
【００３５】
ブレスレット１００、ベルト部１１０、留め具本体１２０、留め棒１２５、第１部位１３０、第２部位１４０、溝部１５０、ヒンジ部１６０、装飾部１７０〜１７６
【図１】
2009112367.tif 000003
【図２】
2009112367.tif 000004
【図３】
2009112367.tif 000005
【図４】
2009112367.tif 000006
【図５】
2009112367.tif 000007
【図６】
2009112367.tif 000008